(57)【特許請求の範囲】
【請求項１】
側壁の外面にその周方向に立設して設けられたリブ（外壁リブ）、底面、該底面に設けられた医療用液体および／または栄養剤の流出口、及び該流出口に接続された管状のカテーテル接続部を底面外面に有する有底の円筒状容器本体、側壁の内面に周方向に延長して設けられたリブ（内壁リブ）を有する前記有底の円筒状容器の上部開口部に外挿される円筒状蓋体及び前記円筒状容器本体と前記円筒状蓋体を接続する可撓性の接続部（ヒンジ）を有して構成された医療用液体および／または栄養剤を患者内に送り込むために使用する容器において、以下の（１）〜（４）の要件を満足するものであることを特徴とする容器。
（１）前記円筒状蓋体の内壁リブが側壁内面の周方向に円弧状の分断リブとして設けられたものであること。
（２）前記（１）の円筒状蓋体の分断リブは、前記接続部（ヒンジ）が接続する箇所の側壁の内面に存在する円弧状リブ（以下、リブ１）、前記接続部（ヒンジ）が接続する側壁と対向する側の側壁内面の周方向に分断リブとして存在する円弧状リブ(以下、リブ２)および前記リブ２の存在する側の半円周内の側壁内面の周方向に分断リブとして存在する前記リブ２とは別の円弧条リブ(以下、リブ３)で構成されるものであること。
（３）前記リブ３の数は１個以上であること。
（４）前記リブ２と３の周方向長さの全体が前記リブ２の存在する側の半円周内の側壁内面に存在すること。
【請求項２】
２個のリブ３がリブ２の存在する側壁内面の時計回りと反時計回りの側壁内面に存在する請求項１に記載の容器。
【請求項３】
２個のリブ３が、円筒状蓋体の天面の中心点を起点として、円筒状蓋体の側壁に接続する接続部材（ヒンジ部）の周方向中心点と対向する側壁５の対向点を結んだラインの角度を０度した場合に、前記ラインと前記天面の中心点と一方のリブ３のリブ長の中心点を結んだラインとのなす角度をα、及び前記ラインと前記天面の中心点Ａと他方のリブ３のリブ長の中心点とを結んだラインとのなす角度をβとした場合に、前記αとβが５５〜７５度である請求項２に記載の容器。
【請求項４】
αとβが６０〜７０度である請求項３に記載の容器。
【請求項５】
内壁リブと外壁リブは、その一方の断面形状が三角形状（ａ）で他方の断面形状が四角形状（ｂ）である請求項１〜４のいずれかに記載の容器。
【請求項６】
内壁リブの形状が三角形状（ａ）の断面形状で、外壁リブの形状が四角形状（ｂ）の断面形状のものである請求項５に記載の容器。
【請求項７】
リブ１がリブ２および３に比べて円筒状蓋体の天面に近い位置の側壁内面に形成された請求項１〜６のいずれかに記載の容器。
【請求項８】
１５〜２０（Ｎ）の嵌合強度と１４〜１７（Ｎ）程度の開封強度を有する請求項１〜７のいずれかに記載の容器
【発明の詳細な説明】
【技術分野】
【０００１】
本発明は、医療用液体および／または栄養剤を貯留し、患者体内に送り込むために使用する容器、特に鼻孔および／または腹腔に設けた開口部を経由して、患者の体内に栄養剤や医薬を送り込むために使用する容器に関する。
【背景技術】
【０００２】
なんらかの医学的理由、例えば食道の強度や制御性に制限又は障害があり、医療用液体および／または栄養剤等を経口的に採取できない患者に対しては、患者の体内に栄養剤や医薬を送り込む方法、例えば医療用液体および／または栄養剤が収納された容器に連結されたカテーテルを通して患者の胃および／または小腸に直接栄養を供給する方法（以下、経腸栄養法という）が採用されている。そして、前記容器としては、通常、大別するとハード容器とソフト容器と呼ばれる２種類のものが存在する。後者のソフト容器は人手によって容易に変形が可能であるので、人手によって全量を該容器内から押しだすことができるという利点はあるが、収納物として例えば粘調な流動食を該容器内に充填することが困難で、さらには該容器を再使用する際に洗浄、乾燥がしにくい等の問題がある。また、逆に前者のハード容器は、通常、人手によって変形が困難で該容器内の収納物を人手によって全量を該容器内から押しだすことができない。
【０００３】
従来、経腸栄養法で使用される容器としては、例えば図１に示す形状のものが知られている。すなわち、底面１３に形成された開口部１０に接続するカテーテル接続部９と上部開口部１１の近傍の側壁７の外面に円周方向に形成された連続リブ８を有する有底の円筒状容器本体１と該円筒状容器本体１に接続する接続部（ヒンジ）２を有するとともに、側壁５の内面に円周方向に形成されたリブ６を有する円筒状蓋体３で構成され、かつ前記リブ６と８は、前記円筒状蓋体３の開口部を前記円筒状容器本体１の開口部１１に外挿して前記蓋体３を前記円筒状容器本体１に被せた場合に前記リブ６は前記リブ８を乗り越えて係止あるいは係着する構造の容器が知られている。
【先行技術文献】
【特許文献】
【０００４】
【特許文献１】実開平２−１１４０５５
【特許文献２】意匠登録第１３７３８２８
【発明の概要】
【発明が解決しようとする課題】
【０００５】
前記０００３段落に記載の公知の容器には以下のような問題があった。すなわち、円筒状蓋体３の開口部を前記円筒状容器本体１の開口部１１に外挿して前記円筒状蓋体３を円筒状容器本体１に被せる場合に、取扱者は前記リブ６を前記リブ８の上を乗り越えさせるためには大きな力を必要とし、かつ円筒状蓋体３を円筒状容器本体１に被せる際に一回の被せる操作ではリブ６がリブ８上を完全に乗り越えることは難しく、しかも取扱者は前記リブ６が前記リブ８を完全に乗り越えたかどうかの判断も難しかった。したがって、該容器の取扱者は往々にして前記リブ６が前記リブ８を完全に乗り越えない状態で使用してしまうことが生じ、そしてこのような状態で前記容器を使用した場合、例えば該容器は輸送中、あるいは使用中に前記円筒状蓋体３は前記円筒状容器本体１から外れて、該円筒状容器本体１の内容物がこぼれてしまうという問題があった。
【課題を解決するための手段】
【０００６】
本発明は、側壁の外面にその周方向に立設して設けられたリブ（以下、外壁リブ）、底面に医療用液体および／または栄養剤の流出口、及び該流出口に接続された管状のカテーテル接続部を底面外面に有する有底の円筒状容器本体、該有底の円筒状容器の上部開口部に外挿される側壁の内面に周方向に延長して設けられたリブ（以下、内壁リブ）を有する円筒状蓋体及び前記円筒状容器本体と前記円筒状蓋体を接続する可撓性の接続部（ヒンジ）を有して構成された医療用液体および／または栄養剤を患者内に送り込むために使用する容器において、以下の（１）〜（４）の要件を満足するものであることを特徴とする容器を提供することにより、前記課題を解決することができた。
（１）前記円筒状蓋体の内壁リブが側壁内面の周方向に円弧状の分断リブとして設けられたものであること。
（２）前記（１）の円弧状分断リブは、前記接続部（ヒンジ）が接続する箇所の側壁の内面に存在する円弧状リブ(以下、リブ１)、前記リブ１が接続する側壁と対向する側の側壁内面に存在する円弧状リブ(以下、リブ２)および前記リブ２の存在する側の半円周内の側壁内面に存在する前記リブ２とは別のリブ(以下、リブ３)で構成されること。
（３）前記リブ３の数は１個以上であること。
（４）前記リブ１〜３の周方向長さ（以下、リブ長という）の全体が前記円弧状リブ２の存在する側の半円周内の側壁内面に存在すること。
【発明の効果】
【０００７】
本発明の容器は、上述のような構造のものであることにより、前記０００３段落に記載のような公知の容器の有する問題点を解決し、該容器の取扱者は前記円筒状蓋体３を円筒状容器本体１に被せる場合に小さな力を前記円筒状蓋体３に付与、例えば円筒状蓋体３の天面４に一回付与するだけで前記内壁リブと前記外壁リブを係止あるいは係着状態とすることが出来、かつ該係止あるいは係着状態を形成した後には非人為的な外力によっては円筒状蓋体３が円筒状容器本体１から外れる場合が少ないという効果を奏することができるものである。さらに本発明の容器は前記係止あるいは係着状態が生じる際には大きなカチッという感触が生じて前記係止あるいは係着状態が生じたことを取扱者が容易に判断できる効果も併せ奏することもできる。前記本発明の効果は前記リブ２及び３が円筒状蓋体３の側壁内面の周方向に分断した分断リブとして設けられ、かつ該リブ２及び３が前記リブ１の存在する側とは反対側の半円周内にそのリブ長全体が存在するように集中的に設けられていることに起因する、と考えられる。
【図面の簡単な説明】
【０００８】
【図１】蓋体を開放した状態の公知の円筒状容器（正面図）である。
【図２】蓋体を開放した状態の本願発明の１実施態様の円筒状容器（正面図）である。
【図３】図２の円筒状容器の蓋体をＸ−Ｘ′線で切断した断面図である。
【図４】図２の円筒状容器の蓋体をＸ−Ｘ′線で切断し、蓋体の分断リブの配置角度を占めす図である。
【図５】図２の別の実施態様の円筒状容器の蓋体をＸ−Ｘ′線で切断した断面図である。
【図６】比較品の蓋体をＸ−Ｘ′線で切断し、蓋体の分断リブの配置角度を占めす図である。
【図７】本発明で採用する分断リブの立設方向の断面図である。
【図８】分断リブ１と２の配置状態を示す一例である。
【図９】円筒状容器本体と一体的に形成された環状バンドを脱着可能に装着した本発明の１実施態様の円筒状容器（正面図）である。
【図１０】比較品の嵌合強度を示す図である。
【図１１】本発明の容器の嵌合強度を示す図である。
【図１２】本発明の容器、比較品の容器、及び市販の容器の開封強度を示す図である。
【符号の説明】
【０００９】
１    円筒状容器本体
２    円筒状容器本体１と円筒状蓋体３を接続する接続部（ヒンジ）
３    円筒状蓋体
４    円筒状蓋体３の底面（天面）
５    円筒状蓋体３の側壁
６    円筒状蓋体３の側壁５の内面に周方向に設けられた連続リブ
６１  円筒状蓋体３の側壁５の内面に周方向に設けられた円弧状分断リブ
６２  円筒状蓋体３の側壁５の内面に周方向に設けられた円弧状分断リブ
６３  円筒状蓋体３の側壁５の内面に周方向に設けられた円弧状分断リブ
６４  円筒状蓋体３の側壁５の内面に周方向に設けられた円弧状分断リブ
７    円筒状容器本体１の側壁
７１  分断リブ
７２  分断リブ
７３  分断リブ
７４  分断リブ
８    連続リブ
８１  分断リブ
８２  分断リブ
９    開口部１０に接続する円筒状のカテーテル接続部
１０  円筒状容器本体１の底面に形成された開口部
１１  円筒状容器本体１の上部開口部
１２  バンド部
１３  円筒状容器本体１の底面
１４  円筒状蓋体３の鍔部
１５  円筒状容器本体１の上部開口部の縁端部
Ａ    円筒状蓋体３の天面４の中心点
ｎ    ラインｎ
ｍ   ラインｍ
ｐ    ラインｐ
ｍ′分断リブ６２（リブ３）のリブ長の中心点
ｎ′接続部（ヒンジ）２の周方向中心点ｑ′と対向する側壁５の対向点
ｐ′分断リブ６４（リブ３）のリブ長の中心点
ｑ′接続部材（ヒンジ部）の周方向中心点
ｎ′′  分断リブ７２の周方向中心点
ｍ′′ 分断リブ７３の周方向中心点
ｐ′′ 分断リブ７４の周方向中心点
α  分断リブの配置角度
β  分断リブの配置角度
【発明を実施するための形態】
【００１０】
以下、本発明の容器の実施の態様を説明する。
図２に示すように、本実施態様の容器は、側壁７の外面にその周方向に立設して設けられた円弧状分断リブである外壁リブ８１と８２、底面１３に医療用液体および／または栄養剤の流出口１０、及び該流出口１０に接続された管状のカテーテル接続部９を底面１３の外面に有する有底の円筒状容器本体１、該円筒状容器本体１の上部開口部に外挿される側壁５の内面に周方向に延長して設けられた円弧状の分断リブ６１（リブ１）、６２（リブ３）、６３（リブ２）及び６４（リブ３）を有する円筒状蓋体３及び前記円筒状容器本体１と前記円筒状蓋体３を接続する可撓性の接続部（ヒンジ）２を少なくとも有して構成される。
【００１１】
前記円弧状の分断リブ６１（リブ１），６２（リブ３），６３（リブ２）及び６４（リブ３）は、例えば図３と４に示されるような構成のものが挙げられる。
分断リブ６１（リブ１）は接続部（ヒンジ）２が接続する接続部の側壁５の内面に該内面の周方向に延長した分断リブとして設けられたものである。また、分断リブ６３（リブ２）は前記分断リブ６１（リブ１）が接続する側壁５の接続箇所と対向する側の側壁５の内面に該内面の周方向に延長した分断リブとして設けられたものである。また、分断リブ６２（リブ３）と６４（リブ３）は、前記分断リブ６３（リブ２）の存在する側の半円周内の側壁内面に、該内面の周方向に延長した分断リブとして設けられたものである。すなわち、本実施態様の特徴の一つは、前記のように円弧状の分断リブ６３（リブ２）の存在する側の半円周内の側壁５内面に、前記分断リブ６２（リブ３），６３（リブ２）及び６４（リブ３）が集中的に設けられている点にある。
【００１２】
さらに前記分断リブ３は以下のような配置で構成されるのが好ましい。すなわち、図４に示すように分断リブ６２（リブ３）と６４（リブ３）が分断リブ６３（リブ２）の存在する側壁の時計回りと反時計回りの側壁の内面に存在し、かつ円筒状蓋体３の天面４（図２参照）の中心点Aを起点として、側壁５に接続する接続部材（ヒンジ部）の周方向中心点ｑ′と対向する側壁５の対向点ｎ′を結んだライン（ラインｎ）の角度を０度した場合に、前記ラインｎと前記中心点Aと一方の分断リブ６２（リブ３）のリブ長の中心点ｍ′を結んだライン（ラインｍ）とのなす角度をα、及び前記ラインｎと前記中心点Ａと分断リブ６４（リブ３）のリブ長の中心点ｐ′を結んだライン（ラインｐ）とのなす角度をβとした場合に、前記αとβは好ましくは５５〜７５度、さらに好ましくは６０〜７０度である。
【００１３】
また、前記内壁リブ６を構成する前記分断リブ１〜３のリブ長は前記本発明の目的を達成することができる範囲で適宜決定することができるが、その全体が、前記円弧状の分断リブ６３（リブ２）の存在する側の半円周内の側壁５内面に存在することが必要である。また前記円筒状容器本体１の外壁リブ８は、内壁リブとは異なり周方向に延長して形成された連続リブとして形成されても良いし円弧状の分断リブとして形成されたものであっても良い。
【００１４】
また、本実施態様におけるリブ２と３は、リブ６２（リブ３）、６３（リブ２）および６４（リブ３）の３個の構成のものであるが、図５に示すようにリブ２と３はリブ６２（リブ３）と６３（リブ２）の２個の構成のものであっても良い。
【００１５】
前記内壁リブ６と外壁リブ８の立設方向の断面形状は任意の形状のものであって良く、例えば図７に示すような三角形状（ａ）四角形状（ｂ）、先端部の角部にアールを形成した四角形状（ｃ）、先端部の形状が半楕円形状および略半楕円形状（ｄ）、先端部の形状が三角形状を形成した四角形状（ｅ）と（ｆ）、台形状（ｇ）のもの等が挙げられる。そして、本発明の効果を達成する上で、前記内壁リブ６と外壁リブ８の一方の断面形状が三角形状（ａ）で他方の断面形状が四角形状（ｂ）のものが好ましく、さらに好ましくは前記内壁リブ６の形状が三角形状（ａ）で外壁リブ８の形状が四角形状（ｂ）の組合せたものである。
【００１６】
前記分断リブ６１、６２、６３および６４の断面形状が三角形状（ａ）で、該リブ６１の頂点から天面迄の距離が、他の分断リブ６２、６３および６４の頂点から天面迄の距離に比べて小さい場合（例えば図８のｈ１＜ｈ２）、前記円筒状蓋体３を円筒状容器本体１に被せる場合、小さな被せる力で、かつカチッという感触を伴って一回の被せる操作で前記円筒状蓋体３を円筒状容器本体１に確実に被せることができる。この効果は円筒状蓋体３の天面に加えられた力は円筒状蓋体３の分断リブ６１と外壁リブ８の接触点を支点として、前記分断リブ６２、６３および６４に加えられるので、これら分断リブ６２、６３および６４は小さな力で外壁リブ８を完全に乗り越えることができることに起因すると推測される。特に内壁リブ６の立設方向の断面形状が三角形状（ａ）の場合、さらには内壁リブ６の立設方向の断面形状が三角形状（ａ）で外壁リブ８の断面形状が四角形状（ｂ）の組合せの場合には前記効果をより一層効果的に奏することができる。同様な効果は、リブ全体の断面形状三角形状でなくてもその先端部が三角錘形状、例えば図７の（ｅ）及び（ｆ）形状のものであっても同様な効果を奏することができる。
【００１７】
前記接続部（ヒンジ）２は円筒状容器本体１と直接に接続したものであっても良いが、容器を再使用する際に行う洗浄操作のし易さ等を考慮すると円筒状容器本体１と分離可能に構成されたものが好ましい。このような構成の接続部（ヒンジ）２としては、例えば図９に示すような円筒状容器本体１と分離可能、かつ円筒状容器本体１の側壁７の面上を回転可能に装着される環状バンド１２と円筒状蓋体３と一体的に形成されたものが挙げられる。
【００１８】
前記円筒状容器本体１と円筒状蓋体３を構成する合成樹脂は、同一種類の合成樹脂で構成されても良いし、また異なる樹脂で構成されても良く、例えばポリエチレン樹脂、ポリプロピレン樹脂、ポリカーボネート樹脂が挙げられ、またこれら合成樹脂は硬質あるいは軟質であっても良く、これら合成樹脂を適宜、組合せて前記円筒状容器本体１と円筒状蓋体３は構成することができる。
【００１９】
実施例１
本発明の容器と比較品の容器について、円筒状蓋体３と円筒状容器本体１を嵌合させる際に必要な最大挿入力と円筒状蓋体３を嵌合させた円筒状容器本体１から円筒状蓋体３を開封させる際に必要な最大開封力を測定試験した。
測定試験に用いた本発明と比較品の容器は、図９に示すような形状で、上部開口部１１の内径が７９．８ｍｍ及び外径が８２．８ｍｍで、リブ径が８４．８ｍｍの容量６００ｍｌの円筒状容器本体１、該円筒状容器本体１の上部開口部１１に外挿される円筒状蓋体３及び前記円筒状容器本体１と円筒状蓋体３を連結する弾力性を有する接続部（ヒンジ）２を有して構成されたものである。
【００２０】
本発明の容器と比較品の容器の円筒状容器本体１はポリプロピレン樹脂で構成され、また円筒状蓋体３も同様にポリプロピレン樹脂で構成され、両者の壁部の厚さはそれぞれ１．５ｍｍである。また、接続部（ヒンジ）２は前記円筒状蓋体３及び円筒状容器本体１にそれと回転可能に装着されたバンド部１２と一体的に形成されたものである。また、本発明の容器と比較品の容器の円筒状容器本体１には、容量を示す目盛が形成されている。
【００２１】
また、本発明の容器を構成する円筒状容器本体１には、その側壁７の外面に図３及び４に示すような配置で矩形状の分断リブ８１と８２の２個が設けられている（図９参照）。前記矩形状の分断リブ８１と８２は、その高さが２ｍｍでその高さ方向の中心点が開口部縁端部から３．４ｍｍの位置にあり、かつその円周方向の長さがそれぞれ１２３ｍｍ、及び１２３ｍｍである。また、比較品の容器を構成する円筒状容器本体１にも、前記本発明の容器を構成する円筒状容器本体１に設けられたリブと同様の構造と配置を有するリブが設けられている。なお、前記分断リブ８１と８２は連続リブであっても良い。
【００２２】
本発明の容器を構成する円筒状蓋体３には、図３と４示すようにヒンジ部２の接続する側の側壁４の内面に分断リブ６１、前記分断リブ６１と対向する側の側壁５の内面に分断リブ６３、及び図４において示される角度α及びβが４５度である分断リブ６２と６４がそれぞれ設けられている。前記分断リブ６１，６２、６３及び６４の形状は円筒状蓋体３の円周方向の断面形状が三角形状で、その円周方向の長さがそれぞれ１８．６ｍｍ、１０ｍｍ、２７．５ｍｍ及び１０ｍｍである。また、前記三角形状の各リブの底辺部分は３．５ｍｍ、底辺部分から頂点迄の高さが１．０ｍｍである。また、三角形状の頂点は天面から、分断リブ６１は５．９ｍｍの位置にあり、他の分断リブ６２，６３、及び６４の頂点は天面から７．１ｍｍの位置で同じ位置にあるが、これらの位置は異なっていても良い。前記円筒状蓋体３には円筒状容器本体１からの開封を容易にするために、ヒンジ部が接続する側とは反対側の円筒状蓋体３から外方向に延出した庇形状で指により把持する鍔部１４が形成されている。
【００２３】
比較品の容器を構成する円筒状蓋体３には、図６に示すようにヒンジ部２の接続する側の側壁５の内面に分断リブ７１、前記分断リブ７１と対向する側の側壁４の内面には分断リブ７３が設けられ、かつ該分断リブ７３の中心点ｎ′′と円筒状蓋体３の天面の中心点Ａを結ぶ角度を０度とした場合に、反時計回りに９０度の角度でその中心点をｍ′′とするリブ７２及び時計回りに９０度の角度でその中心点をＰ``とするリブ７４がそれぞれ設けられている。前記分断リブ７１，７２、７３及び７４の形状は、円周方向の断面形状が三角形状で、その円周方向の長さがそれぞれ３０ｍｍ、１０ｍｍ、２０ｍｍ及び１０ｍｍである。また、前記各リブはその台形の底辺部分は２．２ｍｍ、高さが０．５ｍｍである。さらに円筒状蓋体３には円筒状容器本体１からの開封を容易にするために指で把持する鍔部１４が、ヒンジ部が接続する側とは反対側に庇形状で形成されている。
【００２４】
嵌合強度の測定
測定機器として、型番ＡＧ−ＩＳ（引張試験機：島津製作所製）を利用して、嵌合強度を測定した。なお、嵌合強度とは前記円筒状蓋体３と円筒状容器本体１を嵌合させる際の最大挿入力を言う。
前記本発明と比較品の円筒状容器本体１の底面部に連結された円筒状のカテーテル接続部９を切り落とした円筒状容器本体１の下部を出願人が作製した治具と治具抑え板を使用してＡＧ−ＩＳに固定した。該固定した円筒状容器本体１の上部開口部と前記ＡＧ−ＩＳのチャックの間に円筒状蓋体３を置いた。前記チャックを円筒状容器本体１の方向に作動させて嵌合強度を測定した。その測定結果を図１０と図１１に示す。
【００２５】
前記図１０と図１１に示す測定結果から本発明の容器は、比較品の容器に比較して以下の効果を奏することが理解できる。
図１０は比較品に対する前記ＡＧ−ＩＳのチャックの移動距離（ストローク）と嵌合強度との関係、また図１１は本発明品に対する前記ＡＧ−ＩＳのチャックの移動距離（ストローク）と嵌合強度との関係を示すものであるが、図１０においては２個のピークＡとＢが見られるのに対して、図１１においては１個のピークＣが見られるに過ぎない。この結果は、前記ピークＡ、Ｂ及びＣは前記円筒状蓋体３のリブが円筒状容器本体１のリブを乗り越えて前記円筒状蓋体３と円筒状容器本体１が嵌合するに必要な嵌合強度ピ−クを示すものであるから、本発明品は一回の嵌合操作で前記円筒状蓋体３と円筒状容器本体１に嵌合することが容易であるのに対して、比較品は前記円筒状蓋体３と円筒状容器本体１を一回の嵌合操作では前記前記円筒状蓋体３と円筒状容器本体１を完全に嵌合させることが困難であることを示している。また、前記の試験結果は、前記ピークＡとＢの嵌合強度がそれぞれ略２７（Ｎ）と２３（Ｎ）であるのに対して、前記ピークＣの嵌合強度が略１６（Ｎ）であるから、比較品は本発明品に比べて前記円筒状蓋体３と円筒状容器本体１を嵌合する際に大きな嵌合強度を必要とすることを示している。
【００２６】
さらに、本発明の容器において、本発明の容器で採用する構成要件、特に円筒状蓋体３のリブの構成要件を採用すれば、１５〜２０（Ｎ）程度の嵌合強度の容器を容易に得ることができるが、前記範囲の嵌合強度を有する本発明の容器は、２０〜６０歳女性の指１本の押す力の平均が約２０（Ｎ）であるというデータがあることからみて、円筒状蓋体３を看護師がスムーズに指１本で開封できるという観点からみて、看護師にとって非常に使用し易いものである。
【００２７】
開封強度についての開封試験
開封強度とは円筒状蓋体が外挿された円筒状容器本体から円筒状蓋体を開封する際に必要な最大開封力を言う。
前記嵌合強度の測定試験に使用した本発明と比較品の容器（ただし、円筒状容器本体１のカテーテル接続部９を切り落としていないもの）について、下記の開封試験を行った。
円筒状容器本体１の対向目盛の位置に円筒状蓋体３の鍔部１４の中心がくるようにセットし円筒状容器本体１と円筒状蓋体３を確実に嵌合させた。次にプッシュプルスケール（社製：）のプル（ＰＵＬＬ）側に図１３に示す又鉤を取り付け、又鉤の鉤部の先端を円筒状蓋体３の鍔部１４に引っ掛け、該円筒状蓋体３を開封方向に引き上げ、開封の際の最大開封強度を測定した。
【００２８】
前記開封試験を本発明と比較品の容器の他に市販の栄養容器についても実施し、その試験結果を図１２に示す。図１２に示す試験結果から比較品の容器を開封する場合の開封強度は略２５（Ｎ）というような大きな開封強度を必要とするのに対して、本発明の容器を開封する場合の開封強度は略１５（Ｎ）というような小さな開封強度である。したがって、本発明の容器は比較品の容器に比べて円筒状蓋体の開封を無理なく行うことができる。
【００２９】
さらに、前記図１２に示す本発明の容器の開封強度は略１５（Ｎ）であるが、本発明の容器においては本発明の容器で採用する構成要件、特に円筒状蓋体３のリブの配置構成を採用すれば、１４〜１７（Ｎ）程度の開封強度の容器を容易に得ることができる。そして前記範囲の開封強度を有する容器は、女性が指で水平ボタンを押す力は平均が約１４．７３（Ｎ）であるというデータがあることからみて、開封強度として非常に好適なものであり、かつ市販品のように開封強度が略５（Ｎ）程度というように非常に低くないので、例えば該容器に付与される非意図的な外力による開封操作、例えば他物との接触あるいは衝突等によって円筒状蓋体３が円筒状容器本体１から開封される危険性が少ないものである。
【図１】
0005787204.tif 000002
【図２】
0005787204.tif 000003
【図３】
0005787204.tif 000004
【図４】
0005787204.tif 000005
【図５】
0005787204.tif 000006
【図６】
0005787204.tif 000007
【図７】
0005787204.tif 000008
【図８】
0005787204.tif 000009
【図９】
0005787204.tif 000010
【図１０】
0005787204.tif 000011
【図１１】
0005787204.tif 000012
【図１２】
0005787204.tif 000013